(57)【特許請求の範囲】
【請求項１】
差込片を有する雄部材と、差込口を有する雌部材と、前記雌部材を内蔵するカバー体と、を含むバックルであって、
前記雄部材において、前記差込片は、一対の凹状の被係合部を備え、
前記雌部材は、一本の弾性金属線材で形成され、基部と、前記基部の両端から屈曲して延びる一対のアーム部と、前記一対のアーム部の途中に設けられた一対の屈曲部と、前記一対のアーム部の先端に設けられた一対の係合部と、を備え、
前記カバー体は、カバー主体と、前記雄部材の前記差込片を挿入可能な挿入口と、前記挿入口に連通して前記雌部材を内蔵する収納部と、前記カバー体の外側から内側に前記一対の屈曲部を押すことができる操作部と、を備え
前記一対のアーム部相互の間隔が弾性変形により拡縮されることによって、前記差込片の被係合部が、前記一対の係合部と係脱可能であり、前記操作部が押されることによって、前記一対の被係合部と前記一対の係合部との係合状態が解除可能である構成を有し、
前記カバー体において、前記一対の操作部は、前記挿入口とは反対側の端部において前記カバー主体の両側面と繋がっている片持ち状の構成を有し、
前記雌部材において、前記一対の屈曲部は、前記一対のアーム部において、中心よりも前記一対の係合部側に設けられている構成を有し、
前記一対の凹状の被係合部が、前記差込片を差し込む方向に対して略垂直な方向において、内側に凹む形状を有すること、
を特徴とするバックル。
【請求項２】
前記雌部材において、前記一対のアーム部は、前記一対の屈曲部から前記一対の係合部に至る中途部で互いに交差している構成を有すること、
を特徴とする請求項１に記載のバックル。
【請求項３】
前記雌部材において、前記一対の係合部は、それぞれ折り曲げられた内側縁が互いに向かい合うように構成されており、前記一対の係合部同士で囲まれた空間によって前記差込口が構成されていること、
を特徴とする請求項１又は２に記載のバックル。
【発明の詳細な説明】
【技術分野】
【０００１】
本発明は、例えば、動物の首輪や鞄等のベルトの端部同士を係脱自在に連結するバックルに関する。
【背景技術】
【０００２】
動物の首輪や鞄のベルト等の紐体の端部同士は、通常、バックルを用いて連結されることが多い。このようなバックルとしては、ベルトの一端に取り付けられる挿脱体と、ベルトの他端に取り付けられ、前記挿脱体が挿入され、互いに係合する連結具本体と、で構成されているバックルが一般的である。
【０００３】
ここで、例えば特許文献１（特開２００３−１０２５１６号公報）においては、小型化及び軽量化を図る上で強度を得るための連結具が提案されている。当該特許文献１の連結具では、挿脱体の両側には、鉤状に突出した一対の係合爪が一体に形成されており、他方、連結具本体は、内部に収納部を有する上下の板と、収納部内に支軸を中心として揺動可能に支持された一対の係合部と、この一対の係合部の係合爪が相互に接近する方向に付勢するバネ部材とから構成され、挿脱体の係合爪と連結具本体の係合爪が係合する。
【０００４】
ところが、上記特許文献１の連結具では、挿脱体及び連結具本体を構成する各部品は、必要な強度を満たすために金属で形成されているところ、十分な強度は得られるものの、部品点数が多くて複雑な構造をしており、全体が金属製であることとも相まって相当な重量物となってしまう。
【０００５】
そこで、特許文献２（特開２０１０−１１０５０２号公報）において、本発明者は、必要十分な強度を有しながら、部品点数が少なく、安価かつ軽量なバックルを提供することを目的として、雄部材に突設された差込片が、雌部材の差込口に差し込まれて紐体を連結するバックルを提案している。
【０００６】
上記特許文献２におけるバックルにおいては、より具体的には、雄部材の差込片は、一対の被係合部を備え、雌部材は、弾性を有する一本の金属線材で形成されていて、基部の両端から屈曲して突出した一対のアーム部を備え、この一対のアーム部には、アーム部相互の間隔が弾性変形により拡縮されることにより差込片の被係合部と係脱可能な一対の係合部が、折り曲げ加工により一体的に形成されている。
【先行技術文献】
【特許文献】
【０００７】
【特許文献１】特開２００３−１０２５１６号公報
【特許文献２】特開２０１０−１１０５０２号公報
【発明の概要】
【発明が解決しようとする課題】
【０００８】
しかしながら、上記特許文献２におけるバックルは、十分な強度を有し、部品点数が少なく簡易な構造をしており、軽量であるが、雌部材に係合している際の雄部材の差込片の安定性、及び、雄部材と雌部材との係合状態の解除の容易性の観点からは、未だ改善の余地があった。
【０００９】
そこで、本発明の目的は、十分な強度を有し、部品点数が少なく簡易な構造をしており、軽量であるとともに、雌部材に係合している際の雄部材の差込片の安定性、及び、雄部材と雌部材との係合状態の解除の容易性に優れるバックルを提供することにある。
【課題を解決するための手段】
【００１０】
上記課題を解決するために、本発明者は雄部材、雌部材及び雌部材を内蔵するカバー体の構造について、多くの試作を繰り返して鋭意検討を行った結果、雄部材において差込片に一対の所定の構造の被係合部を設ければ、雌部材に係合している際の雄部材の差込片の安定性が向上することを見出し、更に、雌部材においてカバー体において所定の構造の操作部を設け、また、一対のアーム部の所定の位置に一対の屈曲部を設ければ、雄部材と雌部材との係合状態の解除の容易性が向上することを見出し、本発明を完成するに至った。
【００１１】
即ち、本発明は、差込片（１２）を有する雄部材（１０）と、差込口（２８）を有する雌部材（２０）と、前記雌部材（２０）を内蔵するカバー体（３０）と、を含むバックル（１）であって、
前記雄部材（１０）において、前記差込片（１２）は、一対の凹状の被係合部（１２ａ，１２ｂ）を備え、
前記雌部材（２０）は、一本の弾性金属線材で形成され、基部（２１）と、前記基部（２１）の両端から屈曲して延びる一対のアーム部（２２ａ，２２ｂ）と、前記一対のアーム部（２２ａ，２２ｂ）の途中に設けられた一対の屈曲部（２６，２６）と、前記一対のアーム部（２２ａ，２２ｂ）の先端に設けられた一対の係合部（２４ａ，２４ｂ）と、を備え、
前記カバー体（３０）は、カバー主体（３１）と、前記雄部材（１０）の前記差込片（１２）を挿入可能な挿入口（３３）と、前記挿入口（３３）に連通して前記雌部材（２０）を内蔵する収納部（３４）と、前記カバー体（３０）の外側から内側に前記一対の屈曲部（２６，２６）を押すことができる操作部（３８，３８）と、を備え
前記一対のアーム部（２２ａ，２２ｂ）相互の間隔が弾性変形により拡縮されることによって、前記差込片（１２）の被係合部（１２ａ，１２ｂ）が、前記一対の係合部（２４ａ，２４ｂ）と係脱可能であり、前記操作部（３８，３８）が押されることによって、前記一対の被係合部（１２ａ，１２ｂ）と前記一対の係合部（２４ａ，２４ｂ）との係合状態が解除可能である構成を有すること、
を特徴とするバックルを提供する。
【００１２】
このような構成を有する本発明のバックルにおいては、雌部材が係合部も含めて一本の弾性金属線材を折り曲げて形成されるだけなので、従来のものに比べて構成部品が格段に少なくて済み、軽量であり、材料費、制作費とも、非常に安価である。しかも、雌部材は、金属線材で形成されているので、十分な強度を発揮することが可能である。更に、雄部材において差込片が一対の凹状の被係合部を有することから、雌部材に係合している際の雄部材の差込片の安定性が著しく向上している。
【００１３】
上記の本発明のバックルにおいては、前記カバー体（３０）において、前記一対の操作部（３８，３８）は、前記挿入口（３３）とは反対側の端部において前記カバー主体（３１）の両側面と繋がっている片持ち状の構成を有すること、が好ましい。
【００１４】
このような構成を有する本発明のバックルにおいては、一対の被係合部と一対の係合部との係合状態を解除する際、片方の手で雄部材を持って、他方の手で操作部を押す操作がし易く（力がかかり易く）、一対の被係合部と一対の係合部との係合状態の解除がより容易である。
【００１５】
更に、上記の本発明のバックルにおいては、前記雌部材（２０）において、前記一対の屈曲部（２６，２６）は、前記一対のアーム部（２２ａ，２２ｂ）において、中心よりも前記一対の係合部（２４ａ，２４ｂ）側に設けられている構成を有すること、が好ましい。
【００１６】
このような構成を有する本発明のバックルにおいては、一対の被係合部と一対の係合部との係合状態を解除するために、片方の手で雄部材を持って、他方の手で操作部を押す際、一対のアーム部相互の間隔が弾性変形により縮小するように当該一対のアーム部に力がかかり易く、一対の被係合部と一対の係合部との係合状態の解除がより容易である。
【００１７】
なお、上記構成において、前記雌部材の一対のアーム部は、前記係合部に至る中途部で互いに交差させることができる。これにより、一対のアーム部を外側から押圧する操作を係合部同士の間隔を拡げる作用に変換することが可能となる。また、アーム部相互の交差範囲で雄部材の差込片を厚み方向から襷掛け状に抱き込むようにすれば、雄部材と雌部材との係合状態がガタつきが少ない安定したものとなる。
【００１８】
また、上記各構成において、前記雌部材の一対の係合部は、それぞれ折り曲げられた内側縁が互いに向かい合うようなっており、この一対の係合部同士で囲まれた空間において前記雌部材の差込口が構成されるようにしてもよい。このようにすれば、係合部が差込口を兼ねることができ、しかも、係合部同士で囲まれる差込口で雄部材の差込片を協働して抱持することができるので、雄部材と雌部材との係合状態も安定したものとなる。
【００１９】
なお、前記雌部材は、カバー体に内蔵されており、このカバー体は、前記雄部材の差込片を挿入可能な挿入口と、この挿入口に連通して前記雌部材を内蔵する収納部を備えるとともに、このカバー体の外側から前記被係合部と係合部との係合状態を解除可能な操作部を備える。これにより、外部の衝撃等から雌部材を保護することができ、雌部材が金属線材のみの構成のものに比べて意匠的にも優れたものとすることができる。
【００２０】
また、前記カバー体には、紐体と連結するための紐体取付部が設けられ、この紐体取付部に前記雌部材の基部を嵌合することができる。これにより、カバー体と雌部材の固定が確実かつ容易である。しかも、雌部材の基部がカバー体の紐体取付部の一部を構成することもできるので、カバー体及び雌部材は紐体に対して十分な強度をもって取り付けることができる。
【発明の効果】
【００２１】
本発明によれば、十分な強度を有し、部品点数が少なく簡易な構造をしており、軽量であるとともに、雌部材に係合している際の雄部材の差込片の安定性、及び、雄部材と雌部材との係合状態の解除の容易性に優れるバックルを提供することができる。
【図面の簡単な説明】
【００２２】
【図１】本発明のバックルの一実施形態（動物の首輪）の要部斜視図である。
【図２】図１に示すバックルの構成部品を示す分解斜視図であり、（ａ）はカバー体、（ｂ）は雌部材、（ｃ）は雄部材、（ｄ）は図２（ｃ）のｄ矢視図（側面図）である。
【図３】図１及び図２に示すバックルの雌部材を示し、（ａ）は平面図、（ｂ）は正面図、（ｃ）は左側面図、（ｄ）は図３（ａ）の仮想線の状態に相当する左側面図である。
【図４】図１及び図２に示すバックルのカバー体を示し、（ａ）は平面図、（ｂ）は図４（ａ）のｂ−ｂ線断面図、（ｃ）は図４（ａ）のｃ−ｃ線断面図、（ｄ）は底面図である。
【図５】図１及び図２に示すバックルの連結と解除の動作を示し、（ａ）は連結前の状態、（ｂ）は連結直前の状態、（ｃ）は連結状態、（ｄ）は連結を解除する途中の状態を示すそれぞれ一部破断平面図である。
【発明を実施するための形態】
【００２３】
以下において、本発明のバックルの一実施形態（動物の首輪）について、図面を参照しつつ詳細に説明するが、本発明はこれらのみに限定されるものではない。また、以下の説明では、同一又は相当部分には同一符号を付し、重複する説明は省略することもある。図面は、本発明を概念的に説明するためのものであるから、理解容易のために、必要に応じて寸法、比又は数を誇張又は簡略化して表している場合もある。
【００２４】
図１は、本発明のバックルの一実施形態（動物の首輪）の要部斜視図であり、バックル１は、紐体としての平紐状のベルト２を連結している。図１において、ベルト２は、その全体の図示は省略し、バックル１が装着されるベルト２の両端部の近傍のみが描かれている。
【００２５】
また、バックル１には、ステンレス鋼で形成されたＤカン３、樹脂で形成されたベルトカン４、及び、ベルト長さ調節用の調節カン（図示せず。）が付属している。これらＤカン３及びベルトカン４等は、一般的に使用されている公知のものであるため詳細は省略する。
【００２６】
次に、本実施形態のバックル１について詳述する。図２は、図１に示す本実施形態のバックル１の構成部品を示す分解斜視図であり、（ａ）はカバー体、（ｂ）は雌部材、（ｃ）は雄部材、（ｄ）は図２（ｃ）のｄ矢視図（側面図）である。
【００２７】
バックル１は、主として、ベルト２の一端に取り付けられる雄部材１０と、ベルト２の他端に取り付けられる雌部材２０と、雌部材２０を内臓する樹脂製のカバー体３０と、で構成される。
【００２８】
雄部材１０は、図２（ｃ）（ｄ）に示すように、ベルト２に取り付ける為の取付部１１と、取付部１１から突設された差込片１２と、で構成され、ステンレス鋼板を打ち抜いて形成されたものである。取付部１１は、略長方形を呈しており、ベルト２を挿通する為の２条のスリット１１’，１１’が形成されている。この各スリット１１’にベルト２の一端側が挿通され、図１に示すように、雄部材１０は紐体であるベルト２に対して、ベルトカン４等を用いた公知の方法で取り付けられる。
【００２９】
一方、差込片１２は、略長方形状の取付部１１の対向する２つの長辺の一方の側から、当該長辺に略直交する方向に突出している。そして、差込片１２は、左右対称状に張り出した凹状の被係合部１２ａ，１２ｂを有するとともに、先端部１２ｃが円弧状となっており、全体的に丸みを帯びた略ドーム形状を呈している。これにより、雌部材２０に係合している際の雄部材１０の差込片１２の安定性が著しく向上している。
【００３０】
本実施形態の雄部材１０は、図２（ｄ）に示すように、取付部１１に対して差込片１２が厚み方向で屈曲している。これは、バックル１を、犬等のペットの首等のように曲面状の対象物に装着する場合、バックル１が接触する曲面状の部分に沿い易くするためである。なお、バックル１を鞄のベルト等に適用する場合は、バックル１が接触する部位は一般に平面となるので、取付部１１に対して差込片１２を屈曲させなくてよい。
【００３１】
次に、雄部材１０に係脱自在となる雌部材２０について説明する。雌部材２０は、図２（ｂ）及び図３に示すような構造を有し、断面が円形の丸棒状でかつ弾性を有する１本の金属線材を折り曲げ加工して形成されるものである。弾性を有する金属線材としてはステンレス鋼製のものが好適である。
【００３２】
雌部材２０は、基部２１の両端から屈曲して延びる（突出する）一対のアーム部２２ａ，２２ｂを備えている。同じ方向に一旦平行に延びるアーム部２２ａ，２２ｂは、互いに接近する方向に屈曲して基部２１を長辺とする略長方形状の環状部２３を構成する。この環状部２３には、紐体としてのベルト２が挿通できる。
【００３３】
更に、アーム部２２ａ，２２ｂは、環状部２３から後述する係合部２４ａ，２４ｂに至る部分において、それぞれ互いの間隔が遠ざかる方向に緩やかな曲線を描いて湾曲する曲線部２５と、途中において鈍角に折り曲げ加工されて設けられたくの字形状（凸状）の屈曲部２６と、屈曲部２６を経て再度互いの間隔が近づく方向に傾斜する斜線部２７と、を有している。
【００３４】
各斜線部２７は、図３（ｂ）に示すように、互いに立体的な間隙ｈを離して交差している。なお、この立体的な間隙ｈは、雄部材１０の差込片１２の厚みとほぼ同じか、これより若干大きい。
【００３５】
そして、アーム部２２ａ，２２ｂは、図３（ａ）で実線及び仮想線で示すように、それぞれ曲線部２５、屈曲部２６及び斜線部２７等において、金属線材の弾性により相互の間隔が弾性変形により拡縮可能となっている。
【００３６】
また、アーム部２２ａ，２２ｂの先端部には、雄部材１０の被係合部１２ａ，１２ｂと係合し得る係合部２４ａ，２４ｂが形成されている。係合部２４ａ，２４ｂは、アーム部２２ａ，２２ｂ（斜線部２７，２７）の先端部がコの字形状（凸状）に略１８０°折り曲げ加工されて設けられた（一体的に形成された）ものである。この「コの字形状」には、文字どおりのコの字形状のみならず、丸みを帯びた形状である、例えばＵの字形状、Ｖの字形状、Ｊの字形状も含む。
【００３７】
更に詳しくは、アーム部２２ａ，２２ｂ相互間隔の拡縮方向を左右横方向（図３（ａ）の矢印Ｘ方向）とした場合、係合部２４ａは、アーム部２２ａの先端部が下から上に向かってコの字形状にアーム部２２ａに沿って折り返されている。逆に、係合部２４ｂは、アーム部２２ｂの先端部が上から下に向かってコの字形状にアーム部２２ｂに沿って折り返されている。
【００３８】
そして、アーム部２２ａの先端面２２ａ’は、他方のアーム部２２ｂの斜線部２７に略直交する方向に対面し、アーム部２２ｂの先端面２２ｂ’は他方のアーム部２２ａの斜線部１７に略直交する方向に対面している。なお、係合部２４ａ，２４ｂの間隙ｈ’は、斜線部２７同士の立体的な間隙ｈと略同じである。
【００３９】
ここで、アーム部２２ａ，２２ｂ相互間隔の拡縮方向を左右横方向（図３（ａ）の矢印Ｘ方向）とした場合、上下方向から見ると、係合部２４ａと係合部２４ｂとがＶの字形状を形成する位置関係を有している。したがって、係合部２４ａ，２４ｂのコの字形状の凹部の内側縁は、正対するものではないものの、実質的に互いに向かい合うようになっており、この係合部２４ａ，２４ｂ同士で囲まれる空間において、雄部材１０の差込片１２が差し込まれる差込口２８が構成されている。
【００４０】
また、この差込口２８は、当該差込口２８側から基部２３方向を見た場合には矩形状となっており、アーム部２２ａ，２２ｂの弾性変形による相互間隔の拡縮（拡大・縮小）にともない、図３（ｃ）に示すような間隔が縮まった通常の状態（常態）と、図３（ｄ）に示すような拡がった状態と、を有し得る。
【００４１】
なお、図３（ｂ）に示すように、アーム部２２ａ，２２ｂの環状部２３から係合部２４ａ，２４ｂに至る中途部は、雄部材１０が、その取付部１１に対して差込片１２が厚み方向に屈曲しているのと同様の理由により、環状部２３に対して屈曲している。
【００４２】
次に、この雌部材２０を内臓（収納）するカバー体３０について説明する。カバー体３０は、好ましくはＰＯＭ（ポリアセタール）で形成されており、図２（ａ）及び図４に示すように、外観が楕円形の円盤状のカバー主体３１に、枠形状の紐体取付部３２が突出して設けられている。この紐体取付部３２には、紐体としてのベルト２が挿通できる。なお、図４（ｂ）に示すように、紐体取付部３２は、雄部材１０や雌部材２０が屈曲しているのと同様の理由により、カバー主体３１に対して屈曲している。
【００４３】
カバー主体３１には、紐体取付部３２の反対側に雄部材１０の差込片１２を挿入できるように開口する矩形状の挿入口３３が設けられており、この挿入口３３に連通する内部空間に雌部材２０を内蔵することができる収納部３４が形成されている。収納部３４には、紐体取付部３２側に連通して開口する後部開口３５が形成されている。
【００４４】
また、カバー主体３１の両側面には、側面の一部が切れ込まれて収納部３４に連通して開口する側部開口３６が形成されており、この側部開口３６の開口縁に繋がるヒンジ部３７を介して片持ち状の操作部３８が揺動可能に設けられている。即ち、操作部３８は、挿入口３３とは反対側の端部においてカバー主体３１の両側面に位置する側部開口３６の開口縁と繋がっている。これにより、片方の手で雄部材１０を持って引っ張りながら、他方の手でカバー本体３０及び操作部３８を押す操作がし易く、係合状態の解除がより容易である。
【００４５】
各操作部３８は、カバー主体３１の内部空間である収納部３４側に突起３９を有し、この各突起３９は、それぞれ側部開口３６から収納部３４内に侵入できるように臨んでいる。この突起３９は、後述するように、内臓する雌部材２０の屈曲部２６に当接するようになっており、操作部３８を押すと、雄部材１０と雌部材２０との係合状態を解除できる。なお、各操作部３８の外面には凹凸状の滑り止め部を設けてもよい（図示せず。）。
【００４６】
また、紐体取付部３２には、その枠形状に沿って凹んだ溝部４１が設けられており、この溝部４１は雌部材２０の基部１１を含む環状部１３が嵌る形状を有している。
【００４７】
次に、雌部材２０のカバー体３０への内蔵方法について説明する。図５（ａ）に示すように、雌部材２０のカバー体３０への内蔵は、雌部材２０のアーム部２２ａ，２２ｂをカバー主体３１の後部開口３５から収納部３４内に挿入し、環状部２３を紐体取付部３２の溝部４１に嵌合して完了する。
【００４８】
基部２１を含む環状部２３を、紐体取付部３２の溝部４１に嵌合することにより、雌部材２０の差込口２８が、カバー体３０の挿入口３３に対応するように位置決めされる。この位置決めにより、アーム部２２ａ，２２ｂの各屈曲部２６が、各操作部３８の突起３９に当接するようになっており、また環状部２３は紐体取付部３２の芯材となる。
【００４９】
そして、紐体取付部３２にベルト２の他端側が挿通され、図１に示すように、カバー体３０に内蔵された雌部材２０は、紐体であるベルト２に対して逢着等の方法で取り付けられる。
【００５０】
次に、図５を参照して、このバックル１の連結・解除方法について説明する。まず、バックル１を連結するには、図５（ｂ）に示すように、雄部材１０の差込片１２を、カバー体３０の挿入口３３を通じて雌部材の差込口２８に差し込む。
【００５１】
差込片１２を差込口２８に差し込もうとすると、差込口２８を構成する係合部２４ａ，２４ｂが断面円形の丸棒状の金属線材で形成されており、差込片１２の先端１２ｃも円弧状となっているため、その円弧に沿って係合部２４ａ，２４ｂの間隔（差込口２８）が、アーム部２２ａ，２２ｂの弾性による弾発力に抗して滑らかに押し拡げられる。
【００５２】
更に差込片１２を差込口２８に差し込んでいくと、係合部２４ａ，２４ｂが差込片１２の円弧状に張り出した両端を乗り越えて、係合部２４ａ，２４ｂの間隔（差込口２８）が、アーム部２２ａ，２２ｂの弾性による弾発力によって縮まり、図５（ｃ）に示すように差込片１２の被係合部１２ａ，１２ｂと係合する。
【００５３】
この係合状態において、雄部材１０の差込片１２は、雌部材２０のアーム部２４ａ，２４ｂの交差範囲で厚み方向（図５（ｃ）において表裏）から襷掛け状に抱き込まれ、雌部材２０に対してガタつきの少ない安定したものとなる。特に、差込片１２は、凹状の被係合部１２ａ，１２ｂを有しているため、係合部２４ａ，２４ｂが凹部に嵌まり込み、雌部材２０に係合している際の雄部材１０の差込片１２の安定性が著しく高い。
【００５４】
逆に、バックル１の連結を解除するには、図５（ｄ）に示すように、カバー体３０の操作部３８を外側から押圧して、係合部２４ａ，２４ｂの間隔（差込口２８）を拡げて、雄部材１０の差込片１２を引き抜く。
【００５５】
即ち、カバー体３０の操作部３８，３８を外側から押圧すると、各操作部３８は、それぞれヒンジ部３７を介して揺動し、各突起３９が収納部３４内に侵入して、アーム部２２ａ，２２ｂの各屈曲部２６を押圧する。このとき、屈曲部２６は、アーム部２２ａ，２２ｂの中心よりも係合部２４ａ，２４ｂ側に設けられているため、アーム部部２２ａ，２２ｂ相互の間隔が弾性変形により縮小するように当該アーム部２２ａ，２２ｂに力がかかり易く、被係合部１２ａ，１２ｂと係合部２４ａ，２４ｂとの係合状態の解除がより容易である。
【００５６】
各屈曲部２６が押圧されると、アーム部２２ａ，２２ｂが中途部において交差しているので、係合部２４ａ，２４ｂの間隔（差込口２８）は、アーム部２２ａ，２２ｂの弾性変形により拡がり、差込片１２の被係合部１２ａ，１２ｂとの係合が解除され、雄部材１０の差込片１２を引き抜くことにより、バックル１の連結は解除される。
【００５７】
以上の本実施形態のバックル１では、一枚のステンレス鋼板で形成した雄部材１０と、一本のステンレス鋼材を曲げ加工して形成した雌部材２０とで、従来の金属のバックルに比べて遜色のない強度を維持しながら、軽量且つ安価に製作できるという効果を奏する。
【００５８】
なお、本実施形態は、動物用首輪に適したバックルとして説明したが、本発明の技術的思想の範囲内で、種々の設計変更が可能である。また、本発明のバックルは鞄やポーチ等のバックルに適用できることは言うまでもない。
【００５９】
例えば、本実施形態のカバー体３０の操作部３８を省略して、カバー体３０の側部開口３８から直接アーム部２２ａ，２２ｂを操作してバックルの係合状態を解除することも可能である。更に、カバー体が雌部材２０を内蔵する形式ではなく、雌部材２０と動物の首や鞄等と直接接触しないようにする単なる隔壁としての板状又はシート状のものでもよい。
【００６０】
また、紐体２も平紐状のベルトではなく、丸紐状のものとすることができ、この場合は、その紐体の形状に応じて、雄部材の取付部や雌部材の環状部、カバー体の紐体取付部の形状は適宜変更。
【符号の説明】
【００６１】
１・・・バックル、
２・・・紐体、
１０・・・雄部材、
１２・・・差込片、
１２ａ，１２ｂ・・・被係合部、
２０・・・雌部材、
２１・・・基部、
２２ａ，２２ｂ・・・アーム部、
２３・・・環状部、
２４ａ，２４ｂ・・・係合部、
２８・・・差込口、
３０・・・カバー体、
３２・・・紐体取付部、
３４・・・収納部、
３８・・・操作部。
【図１】
0005989395.tif 000002
【図２】
0005989395.tif 000003
【図３】
0005989395.tif 000004
【図４】
0005989395.tif 000005
【図５】
0005989395.tif 000006